(57)【要約】      （修正有）【課題】医療に使用した汚染注射針の針先を保護隔離し、医療関係者への２次感染を防止する廃棄注射針挟み用具の提供。汚染注射針の仮処置として点滴輸液ボトルに刺すか、粘着テ−プで貼り付け仮止めするが、誤って指先を破傷し医療感染の危険があった。また、注射針を収めていたプラスチックのキャップを再利用して汚染注射針に被せ針先を隔離する場合でも、プラスチックスのキャップは細いので誤って指先を刺して感染する危険性があった。【解決手段】使用済み汚染注射針を、２つ折りにできる粘着面を持つカ−ド形台紙の剥離紙を剥し粘着面に注射針を挟み込む事で、医療関係者への傷障害と医療感染を防止する。【選択図】図１
0003128841.tif 000002
【実用新案登録請求の範囲】
【請求項１】
使用後の注射針を隠蔽保護する用具で、カ−ド形用紙の内側に粘着剤を塗布加工し、剥離紙にてその粘着塗布面を保護し、カ−ド形用紙を内側に２つ折りに出来るよう、用紙外側中央部に折り目の溝を設け、その近接に折り目の筋をプレス加工し、カード形用紙粘着部、下に注射針の空気孔底部接着印を設け、対面側に空気孔を収める丸枠線を設け枠内の中心から丸枠線に向けて台紙、及び粘着剤を切り通した数本の切り込み線を入れ粘着面を剥離紙で覆っている医療廃棄物注射針挟み用具。
【請求項２】
カ−ド形用紙の上面左右の隅を対称に開孔し、粘着剤保護用の剥離紙を使用せずに、カ−ド形用紙の反対面を樹脂塗膜、及びシリコン樹脂加工し積み重ねる事が出来る事を特徴とする請求項１記載の医療廃棄物注射針挟み用具。
【考案の詳細な説明】
【技術分野】
【０００１】
本考案は、使用済み注射針を病原菌感染事故予防のため、完全焼却廃棄まで汚染注射針を安全に保護隔離して持ち運ぶための用具に関する技術分野である。
【背景技術】
【０００２】
従来、点滴に使用した使用済み注射針は、輸液ボトルのゴムキャップ部分に刺すか、  粘着テ−プで輸液ボトル本体に貼り付け仮止めしていた。事故を防ぐため注射針を収めていた細いプラスチックのキャップを再利用して、汚染針先に被せ隔離して医療感染廃棄箱まで持ち運ばれていた。いずれの方法も使用済み汚染注射針の仮処置としては、手先などを破傷しやすく医療感染の危険があった。
【特許文献１】特開２００１−３４６８７７公報
【特許文献２】特開２００５−２３０２５７公報
【考案の開示】
【考案が解決しようとする課題】
【０００３】
汚染注射針の仮処置として点滴輸液ボトルに刺すか、粘着テ−プで貼り付け仮止めするが、誤って指先を破傷し医療感染の危険があった。また、注射針を収めていたプラスチックのキャップを再利用して汚染注射針に被せ針先を隔離する場合でも、プラスチックスのキャップは細いので誤って指先を刺して感染する危険性があった。医療感染廃棄物に指定されている汚染注射針を、点滴の輸液ボトルに刺すと、点滴の輸液ボトルも汚染感染物として医療感染廃棄物となり、焼却処理費用の増大とエネルギ−のロスを招いている。
【課題を解決するための手段】
【０００４】
台紙片面に粘着剤を塗布し、剥離紙で粘着剤塗布面を保護して成るカ−ド形用紙を粘着剤塗布面を内側に２つ折りにできるよう、中央部に弧形、及びその側に折目の筋をプレス加工し、注射器の空気孔を固定する枠を備えて成る廃棄用具である。使用済み注射針を隔離すため、本廃棄注射針挟み用具の粘着剤面上の片面中央下部に注射器の空気孔底部接着印を設け、注射器の空気孔底部を接着させ粘着剤面が内側に向かい合うように２つ折りにして、注射針を挟み込み隠蔽隔離する。空気孔は片面の枠に収まり枠の切り込み周辺からの力を受け安全に固定される。尚、空気孔が付いていない翼状針も同じように片側粘着剤面に指先で羽を固定する、空気孔が無いため、枠の切り込み線は開口せず粘着力を増す。  注射針の挟み込み後の隠蔽隔離をより強固にするため、注射針先の露出なき事を確認の上、２つ折りに折り込み重なり合った粘着剤面が強固に接着するよう指にて挟み圧を加え固定する。
【考案の効果】
【０００５】
患者の身体から抜いた用後の汚染注射針を医療感染物廃棄箱に廃棄収納するまでの仮処置と持ち運びの移動間の針先による医療従事者への破傷感染事故を防げる。
（イ）カ−ド形に広く開いた廃棄注射針挟み用具の粘着剤塗布面の片面に、翼状針を固定する、及び空気孔つき注射針の空気孔底部を接着印の上に固定し、両面で挟み込む事により医療従事者への接触破傷を防ぎ医療感染事故を防止できる。
（ロ）汚染注射針を直ちに廃棄注射針挟み用具で挟み込み隠蔽隔離することにより、他の医療機器への不用意な接触を防止し医療機器への汚染、強いては病院全体の感染防止策となる。
【考案を実施するための最良の形態】
【０００６】
以下、本考案の実地の形態について説明する。
（イ）カ−ド形台紙(1)に粘着剤(2)を塗布し剥離紙(3)にて粘着剤塗布面をカバ−し保護する、中央部縦に粘着剤塗布面を内側にして２つ折りにする溝状の折り目孔(4)をプレス加工し折り目孔(4)に近接して数本の折り目(5)を加工出来るものとし、尚、実施に当たって折り目弧(4)及び折り目(5)は折り易さと、注射針の大きさに対応してコの字形に折れるよう加工できるものとし、カ−ド形台紙(1)片面の粘着剤中央下部に注射針の空気孔底部接着印(6)を設け片面に空気孔を固定する切り込み枠(7)を設け注射針底部接着後、両面を折り重ねた時、空気孔(9)が片側の切り込み枠(7)に収まり２重の落下防止となる、なお、翼状針（１３）においても粘着剤塗布面（２）片側に指先で羽を固定し両面を重ねることで隠蔽隔離することができる。本、用具の台紙上部に対象となる孔(8)(8')２個を設け注射針を挟んだ時、孔が重なり１つの掛け孔(11)に加工出来るものとする。
（ロ）カ−ド形台紙(1)の粘着剤塗布面(2)の剥離紙(3)を剥し使用後の注射針空気孔底部を片面中央下部の空気孔接着印(6)に固定し両面を合わせる事で注射針全体を隠蔽隔離する。空気孔(9)は切り込み枠(7)に収まり周辺の力を受け固定できる為、注射針の落下を２重に防止し移動後、点滴の輸液チュ−ブ(10)を切断しカ−ド形注射針挟み用具のみ、医療感染廃棄箱で処理する。
（ハ）本、カ−ド形台紙(1)の
粘着剤塗布面は台紙全体(図6)又は、全周辺部を少し省いて(図4)塗布し、剥離紙はカ−ド形台紙から全面(図6)又は、一部出る(図5)形でカバ−し保護するものとする。図３は、廃棄注射針挟み用具で注射針を隠蔽隔離したものである。図９は翼状針を廃棄注射針挟み用具で隠蔽隔離したものである。尚、本考案「廃棄注射針挟み用具」の粘着剤の中に抗菌剤もしくは殺菌剤などを配合出来るものとし、より一層の医療感染防止力の強化を可能とする。台紙形カ−ドの礎材は堅紙以外でも一定の強度を保つものなら厚紙、圧縮紙、プラスチック等でもよい。
【図面の簡単な説明】
【０００７】
【図１】本考案の廃棄注射針挟み用具の斜視図
【図２】本考案の廃棄注射針挟み用具カ−ド形台紙の構成説明斜視図
【図３】本考案の廃棄注射針挟み用具で汚染（使用済み）注射針を挟み隠蔽隔離した状態の斜視図
【図４】本考案の廃棄注射針挟み用具の四隅を使用しない粘着剤塗布面加工技術説明斜視図
【図５】本考案の廃棄注射針挟み用具本体から一部はみ出た剥離紙の実施上の形状例説明斜視図
【図６】本考案の廃棄注射針挟み用具本体から全面はみ出た剥離紙の実施上の形状例説明斜視図
【図７】注射器本体の説明図
【図８】翼状針本体
【図９】本考案の廃棄注射針挟み用具で汚染（使用済み）注射針を挟み隠蔽隔離した状態の斜視図
【符号の説明】
【０００８】
１  カ−ド形台紙
２  粘着剤
３  剥離紙
４  折り目孔
５  折り目
６  空気孔底部接着印
７  空気孔入れ切り込み枠
８  パンチ孔
８' パンチ孔
９  空気孔
１０  輸液チュ−ブ
１１  掛け孔
１２  注射針本体
１３  翼状針本体
【図１】
0003128841.tif 000003
【図２】
0003128841.tif 000004
【図３】
0003128841.tif 000005
【図４】
0003128841.tif 000006
【図５】
0003128841.tif 000007
【図６】
0003128841.tif 000008
【図７】
0003128841.tif 000009
【図８】
0003128841.tif 000010
【図９】
0003128841.tif 000011